(57)【要約】【課題】ブレースに圧縮応力が発生しない状態でＶブレースを設置するＶブレース支点施工方法及びＶブレース支点構造を提供する。【解決手段】本発明は、基礎の上に柱を立設固定し、柱が基礎の上に固定された後に柱が荷重を支持する上部構造を設置し、柱の柱頭部に設けられた柱ガセットプレートにブレースの一方の端部を固定し、固定用ガセットプレートにブレースの他方の端部を固定し、上部構造を設置後に固定用ガセットプレートの下部に取り付けられた固定用基板と基礎との間に充填材を注入することを含むことを特徴とする。【選択図】図１
2018184766.tif 000002
【特許請求の範囲】
【請求項１】
基礎の上に柱を立設固定する工程と、
前記柱が前記基礎の上に固定された後に前記柱が荷重を支持する上部構造を設置する工程と、
前記柱の柱頭部に設けられた柱ガセットプレートにブレースの一方の端部を固定する工程と、
固定用ガセットプレートに前記ブレースの他方の端部を固定する工程と、
前記上部構造を設置後に前記固定用ガセットプレートの下部に取り付けられた固定用基板と前記基礎との間に充填材を注入する工程と、を含む、Ｖブレース支点施工方法。
【請求項２】
前記固定用ガセットプレートは、
２本の前記柱の中央部に配置され、
前記基礎から前記固定用基板の下面までを所定の高さにして設置される、請求項１に記載のＶブレース支点施工方法。
【請求項３】
前記上部構造を設置する工程の後であって前記充填材を注入する工程の前に、前記柱の柱頭部に設けられた柱ガセットプレートと前記固定用ガセットプレートとの間に前記ブレースを固定する、請求項１又は２に記載のＶブレース支点施工方法。
【請求項４】
前記柱ガセットプレートに前記ブレースの一方の端部を固定する前に、前記ブレースの他方の端部を前記固定用ガセットプレートに固定する、請求項３に記載のＶブレース支点施工方法。
【請求項５】
前記固定用ガセットプレートは、
前記基礎から前記固定用基板の下面までの高さを調整自在にして設置され、
前記上部構造を設置後であって前記充填材を注入前に、前記基礎から前記固定用基板の下面までの高さを調整する、請求項１又は２に記載のＶブレース支点施工方法。
【請求項６】
前記基礎から前記固定用基板の下面までの高さを調整する工程の後であって前記充填材を注入する工程の前に、前記柱の柱頭部に設けられた柱ガセットプレートと前記固定用ガセットプレートとの間に前記ブレースを固定する、請求項５に記載のＶブレース支点施工方法。
【請求項７】
基礎に立設され下端部と前記基礎の間に充填材を介して固定された第１柱および第２柱と、
前記第１柱に取り付けられた第１柱ガセットプレートと、
前記第２柱に取り付けられた第２柱ガセットプレートと、
前記第１柱と前記第２柱との中央部において前記基礎の上面に充填材を介して固定された固定用基板と、
前記固定用基板に固定された固定用ガセットプレートと、
前記第１柱ガセットプレートと前記固定用ガセットプレートとを連結する第１ブレースと、
前記第２柱ガセットプレートと前記固定用ガセットプレートとを連結する第２ブレースと、
を有し、
前記固定用基板と前記基礎との間に充填された前記充填材は、
前記第１柱及び前記第２柱の前記下端部と前記基礎との間に充填された前記充填材と厚さが異なる、Ｖブレース支点構造。
【発明の詳細な説明】
【技術分野】
【０００１】
本発明は、建築物の柱の柱頭部と基礎との間に設けられるＶブレース支点施工方法及びＶブレース支点構造に関する。
【背景技術】
【０００２】
従来、建築物の耐震性を高める目的で、一方の柱の１階柱頭部と基礎の中間部分の上面に設置されたガセットプレートとを連結した一方のブレース及び他方の柱の１階柱頭部とガセットプレートとを連結した他方のブレースを、Ｖ字状に配置した「Ｖブレース（Ｖ字型ブレースに同じ）」が知られている。
【０００３】
例えば、特許文献１に開示されたＶブレースは、固定用ガセットプレートが基礎の上面に固定用基板グラウトを介して設置されている。第１ブレースは、第１柱の柱頭に設けられた第１柱ガセットプレートと固定用ガセットプレートとの間に取り付けられ、第２ブレースは、第２柱の柱頭に設けられた第２柱ガセットプレートと固定用ガセットプレートとの間に取り付けられている。第１ブレースと第２ブレースとは、固定用ガセットプレートをＶ字の頂点としてＶ字状に配置されている。
【先行技術文献】
【特許文献】
【０００４】
【特許文献１】特開２０１６−１８３５０７号公報
【発明の概要】
【発明が解決しようとする課題】
【０００５】
Ｖブレースは、地震等により建築物に水平方向の力が作用した際に第１柱及び第２柱が水平方向に倒れるのを支持するものである。しかし、第１柱及び第２柱の柱頭部間に設置された梁やその梁に設置される床等の上部の構造物が設置されると、第１柱及び第２柱が垂直方向に縮む。特許文献１に開示されているＶブレースは、第１柱及び第２柱が垂直方向に縮むことにより、Ｖブレースには圧縮される方向に力が作用する。すると、建築物に水平方向の力が作用する前の状態において、Ｖブレースには予め圧縮応力が発生する。従って、建築物に作用する水平方向の力を支持する前に、Ｖブレースは、垂直方向の荷重を支持することになり、本来支持すべき建築物の水平方向の力に対しての耐力が下がるという課題があった。
【０００６】
本発明は、以上のような問題を解決するものであって、ブレースに圧縮応力が発生しない状態でＶブレースを設置するＶブレース支点施工方法及びＶブレース支点構造を提供することを目的とする。
【課題を解決するための手段】
【０００７】
（１）本発明に係るＶブレース施工方法は、基礎の上に柱を立設固定する工程と、前記柱が前記基礎の上に固定された後に前記柱が荷重を支持する上部構造を設置する工程と、  前記柱の柱頭部に設けられた柱ガセットプレートにブレースの一方の端部を固定する工程と、固定用ガセットプレートに前記ブレースの他方の端部を固定する工程と、前記上部構造を設置後に前記固定用ガセットプレートの下部に取り付けられた固定用基板と前記基礎との間に充填材を注入する工程と、を含むことを特徴とする。
【０００８】
（２）本発明に係るＶブレース支点構造は、基礎に立設され下端部と前記基礎の間に充填材を介して固定された第１柱および第２柱と、前記第１柱に取り付けられた第１柱ガセットプレートと、前記第２柱に取り付けられた第２柱ガセットプレートと、前記第１柱と前記第２柱との中央部において前記基礎の上面に充填材を介して固定された固定用基板と、前記固定用基板に固定された固定用ガセットプレートと、前記第１柱ガセットプレートと前記固定用ガセットプレートとを連結する第１ブレースと、前記第２柱ガセットプレートと前記固定用ガセットプレートとを連結する第２ブレースと、を有し、前記固定用基板と前記基礎との間に充填された前記充填材は、前記第１柱及び前記第２柱の前記下端部と前記基礎との間に充填された前記充填材と厚さが異なることを特徴とする。
【発明の効果】
【０００９】
本発明によれば、柱が支持する上部構造が設置された後に固定用基板と基礎（地中梁）との間の充填材を充填するため、Ｖブレースを構成するブレースに圧縮応力が発生しない。これにより、ブレースは、地震等により建築物に作用する水平方向に作用する力に対して、耐力を向上させることができる。
【図面の簡単な説明】
【００１０】
【図１】本発明の実施の形態１に係るＶブレース支点構造を用いた建築物の説明図である。
【図２】図１のＶブレース支点構造の拡大図である。
【図３】図１のＶブレース支点構造の施工方法の説明図である。
【図４】図１のＶブレース支点構造の施工方法の説明図である。
【図５】図１のＶブレース支点構造の施工方法の説明図である。
【発明を実施するための形態】
【００１１】
実施の形態１．
図１は、本発明の実施の形態１に係るＶブレース支点構造を用いた建築物１００の説明図である。なお、各図は模式的に描いたものであって、本発明は各図に描かれた形態に限定されるものではない。
【００１２】
（全体の構造）
図１に示された建築物１００において、基礎９０の上に互いに対向した第１柱１０ａおよび第２柱１０ｂが立設され固定されている。実施の形態１においては、第１柱１０ａおよび第２柱１０ｂは、その下端部１２ａ、１２ｂと基礎９０の上面との間に充填材８１ａ、８１ｂを介して固定されている。第１柱１０ａは柱頭部に取り付けられた柱ガセットプレート１１ａを有し、第２柱１０ｂは柱頭部に取り付けられた柱ガセットプレート１１ｂを有する。第１柱１０ａと第２柱１０ｂとが立設されている間の中央部には、基礎９０（又は地中梁）の上面に充填材８０を介して固定用基板３０が固定されている。固定用基板３０には、固定用ガセットプレート４０が立設固定されている。そして、第１柱１０ａの柱ガセットプレート１１ａと固定用ガセットプレート４０との間には第１ブレース２０ａ、第２柱１０ｂの柱ガセットプレート１１ｂと固定用ガセットプレート４０との間には第２ブレース２０ｂが取り付けられている。
【００１３】
第１柱１０ａの柱頭部と第２柱１０ｂの柱頭部との間には、梁７１が渡されている。梁７１には床７２が取り付けられている。第１柱１０ａと第２柱１０ｂとの上方には、さらに上部構造柱７３ａ、７３ｂが設置されている。上部構造柱７３ａ、７３ｂの間には、梁７４が渡され、梁７４の上には屋根７５が取り付けられている。図１において、梁７１と梁７１より上の各部材をまとめて上部構造７０と呼ぶ。実施の形態１においては、上部構造７０の一例として図１に示しているが、この形態に限定されるものではない。第１柱１０ａの柱頭部と第２柱１０ｂとより支持される部材は、上部構造７０に含まれる。
【００１４】
図１においては、建築物１００は、基礎９０の上に立設された第１柱１０ａおよび第２柱１０ｂとそれに関連する各部材から構成されているが、この形態だけに限定されるものではない。第１柱１０ａおよび第２柱１０ｂに隣接して基礎９０の上に立設される柱をさらに備え、その柱に関連する部材を備えていても良い。また、第１柱１０ａおよび第２柱１０ｂの基礎９０への定着構造は限定されるものではない。また、第１ブレース２０ａの構造、柱ガセットプレート１１ａと固定用ガセットプレート４０とを連結する形態、第２ブレース２０ｂの構造、及び柱ガセットプレート１１ｂと固定用ガセットプレート４０とを連結する形態は限定されるものではない。
【００１５】
図２は、図１のＶブレース支点構造９９の拡大図である。図２（ａ）及び（ｂ）は、Ｖブレース支点構造９９の一例を示すものであり、この形態のみに限定されるものではない。図２（ａ）において固定用基板３０は、アンカーボルト５０とアンカーボルト６０とによって基礎９０（地中梁）に取り付けられている。なお、アンカーボルト５０は下端部に螺合する定着用ナット５９によって、アンカーボルト６０は下端部に螺合する定着用ナット６９によって、それぞれ基礎９０（地中梁）に定着している。また、固定用基板３０は、上面側からナット５１及び下面側からナット５２が締結され固定されている。図２（ｂ）において固定用基板３０は、１種類のアンカーボルト５０によって基礎９０（地中梁）に取り付けられている。固定用基板３０は、上面側からナット５１が締結され固定されている。固定用基板３０の上面側のナット５１は２つ用いられ、ダブルナットにより緩まないように固定されている。
【００１６】
図２（ａ）において、第１ブレース２０ａの軸心２１ａと前記第２ブレース２０ｂの軸心２１ｂとが、固定用基板３０の上面において交差している。軸心２１ａと軸心２１ｂとが交差している点を交点２３と呼ぶ。交点２３は、固定用基板３０の上面に位置しているが、この位置に限定されるものではなく、例えば、図２（ｂ）に示されるように固定用基板３０の下面に位置しても良い。または、交点２３は基礎９０の上面に位置しても良い。すなわち、交点２３の位置は、建築物１００の設計により適宜設定することができる。そして、図２（ａ）のＶブレース支点構造９９においては、交点２３を挟んでアンカーボルト５０が、左右にそれぞれ２本合計４本配置され、アンカーボルト５０よりも交点２３から離れた位置にアンカーボルト６０が、左右にそれぞれ６本合計１２本配置されている。図２（ｂ）のＶブレース支点構造９９においては、交点２３を挟んでアンカーボルト５０が、左右にそれぞれ４本ずつ配置され、さらに、図２に図示されていないが固定用ガセットプレート４０を挟んで反対側にも対称的な位置にアンカーボルト５０が配置されており、アンカーボルト５０は、合計１６本配置されている。
【００１７】
（実施の形態１に係るＶブレース支点施工方法）
図３は、図１のＶブレース支点構造９９の施工方法の説明図である。図３（ａ）に示されるように、基礎９０の上に第１柱１０ａと第２柱１０ｂが立設され、基礎９０に固定される。そして、第１柱１０ａの柱頭部に設けられた柱ガセットプレート１１ａに第１ブレース２０ａの一方の端部が固定され、第２柱１０ｂの柱頭部に設けられた柱ガセットプレート１１ｂに第２ブレース２０ｂの端部が固定される。このとき、第１ブレース２０ａの他方の端部及び第２ブレース２０ｂの他方の端部は、先に固定用ガセットプレート４０に固定されていても良い。また、第１ブレース２０ａ及び第２ブレース２０ｂが柱ガセットプレート１１ａ、１１ｂに固定される際に、上部構造７０の一部（例えば、梁７１等）が先に取り付けられていても良い。
【００１８】
第１ブレース２０ａ、第２ブレース２０ｂ、及び固定用ガセットプレート４０が第１柱１０ａと第２柱１０ｂとの間に取り付けられた後、第１柱１０ａ及び第２柱１０ｂの上方に上部構造７０が設置される。上部構造７０が設置されると、上部構造７０の重量により第１柱１０ａ及び第２柱１０ｂは、縮む方向に変形する。つまり、図３（ｂ）に示されるように、第１柱１０ａ及び第２柱１０ｂの柱ガセットプレート１１ａ、１１ｂは、下方に変位する。柱ガセットプレート１１ａ、１１ｂが下方に変位することにより、固定用ガセットプレート４０及び固定用基板３０は下方に変位する。このとき、固定用基板３０と基礎９０との間には充填材８０は充填されていないため、柱ガセットプレート１１ａ、１１ｂ、第１ブレース２０ａ、第２ブレース２０ｂ、固定用ガセットプレート４０、及び固定用基板３０は、位置関係を保ったまま下方に変位することができる。そのため、第１ブレース２０ａの軸心２１ａと第２ブレース２０ｂの軸心２１ｂとは、上部構造７０が設置された後においても固定用基板３０の上面において交差した状態を保つことができる。
【００１９】
図３（ｂ）に示された上部構造７０が設置された状態において、固定用基板３０と基礎９０（地中梁）との間に充填材８０が充填される。上記の様な手順でＶブレース支点構造９９が施工されるため、第１ブレース２０ａ及び第２ブレース２０ｂは上部構造７０の重量により圧縮されることなく設置される。図１に示される建築物１００において、第１ブレース２０ａ及び第２ブレース２０ｂは圧縮応力が発生していない状態で設置される。また、建築物１００において、固定用基板３０と基礎９０（地中梁）との間に充填された充填材８０は、第１柱１０ａ及び第２柱１０ｂの下端部と基礎９０との間に充填された充填材８１ａ、８１ｂよりも厚さが薄くなっている。第１ブレース２０ａ、第２ブレース２０ｂ、固定用ガセットプレート４０、固定用基板３０、及び柱ガセットプレート１１ａ、１１ｂは、上部構造７０の重量により第１柱１０ａ及び第２柱１０ｂが縮むことを想定して寸法設定されているため、固定用基板３０と基礎９０（地中梁）の上面との間の隙間は、充填材８０が充填可能な寸法に設定されている。
【００２０】
（実施の形態１の効果）
（１）実施の形態１に係るＶブレース支点施工方法によれば、基礎９０の上に第１柱１０ａ及び第２柱１０ｂを立設固定する。第１柱１０ａ及び第２柱１０ｂが基礎９０の上に固定された後に第１柱１０ａ及び第２柱１０ｂが荷重を支持する上部構造７０を設置する。第１柱１０ａ及び第２柱１０ｂの柱頭部に設けられた柱ガセットプレート１１ａ、１１ｂに第１ブレース２０ａ及び第２ブレース２０ｂの一方の端部を固定する。固定用ガセットプレート４０に第１ブレース２０ａ及び第２ブレース２０ｂの他方の端部を固定する。上部構造７０を設置後に固定用ガセットプレート４０の下部に取り付けられた固定用基板３０と基礎９０（地中梁）との間に充填材８０を注入する。以上の各工程を含むものである。
（２）実施の形態１に係るＶブレース支点施工方法によれば、固定用ガセットプレート４０は、２本の柱（第１柱１０ａ及び第２柱１０ｂ）の中央部に配置され、基礎９０（地中梁）から固定用基板３０の下面までを所定の高さにして設置される。
（３）実施の形態１に係るＶブレース支点構造によれば、基礎９０に立設され下端部と基礎９０の間に充填材８１ａ、８１ｂを介して固定された第１柱１０ａおよび第２柱１０ｂと、第１柱１０ａに取り付けられた第１柱ガセットプレート１１ａと、第２柱１０ｂに取り付けられた第２柱ガセットプレート１１ｂと、第１柱１０ａと第２柱１０ｂとの中央部において基礎９０（地中梁）の上面に充填材８０を介して固定された固定用基板３０と、固定用基板３０に固定された固定用ガセットプレート４０と、第１柱ガセットプレート１１ａと固定用ガセットプレート４０とを連結する第１ブレース２０ａと、第２柱ガセットプレート１１ｂと固定用ガセットプレート４０とを連結する第２ブレース２０ｂと、を有する。固定用基板３０と基礎９０（地中梁）との間に充填された充填材８０は、第１柱１０ａ及び第２柱１０ｂの下端部と基礎との間に充填された充填材８１ａ、８１ｂと厚さが異なる。
このように構成されることにより、建築物１００に設置されたＶブレース支点構造９９は、第１ブレース２０ａ及び第２ブレース２０ｂが上部構造７０の重量により圧縮方向の荷重を受けることなく設置される。そのため、建築物１００に対し水平方向に作用する力に対し十分な耐力を有するＶブレース支点構造９９が得られる。また、Ｖブレース支点構造９９が十分な耐力を有するため、第１柱１０ａ及び第２柱１０ｂは、基礎９０との固定を強くする必要がなくなるため、固定構造を簡略化できるという利点がある。
なお、第１柱１０ａ及び第２柱１０ｂは本発明の「柱」に相当し、第１ブレース２０ａ及び第２ブレース２０ｂは本発明の「ブレース」に相当し、第１柱ガセットプレート１１ａ及び第２柱ガセットプレート１１ｂは本発明の「柱ガセットプレート」に相当するものである。
【００２１】
実施の形態２．
本発明の実施の形態２に係るＶブレース支点構造９９は、実施の形態１に係るＶブレース支点構造９９に対し施工方法を変更したものである。実施の形態２に係るＶブレース支点構造９９においては、実施の形態１に対する変更点を中心に説明する。
【００２２】
（実施の形態２に係るＶブレース支点施工方法）
図４は、図１のＶブレース支点構造９９の施工方法の説明図である。図４（ａ）に示されるように、基礎９０の上に第１柱１０ａと第２柱１０ｂとが立設され、基礎９０に固定される。その後、上部構造７０が設置される。図４（ｂ）に示されるように、上部構造７０が設置された後に第１ブレース２０ａの一方の端部と第２ブレース２０ｂの一方の端部とが柱ガセットプレート１１ａ、１１ｂに取り付けられる。第１ブレース２０ａの軸心２１ａと第２ブレース２０ｂの軸心２１ｂとの交点２３は、所定の位置で交差する様に設置される。図４（ｂ）においては、固定用ガセットプレート４０が第１ブレース２０ａ及び第２ブレース２０ｂに取り付けられていないが、第１ブレース２０ａ及び第２ブレース２０ｂは、固定用基板３０の上面に交点２３が来るような位置関係で取り付けられる。
【００２３】
図４（ｃ）に示されるように、第１ブレース２０ａと第２ブレース２０ｂとが柱ガセットプレート１１ａ、１１ｂに取り付けられた後、固定用ガセットプレート４０が第１ブレース２０ａの下側に位置する端部と第２ブレース２０ｂの下側に位置する端部とに取り付けられる。このとき、固定用ガセットプレート４０は、第１ブレース２０ａの下側に位置する端部及び第２ブレース２０ｂの下側に位置する端部に合うように位置を調整しつつ取り付けられる。図４（ｃ）には図示されていないが、例えば、基礎９０（地中梁）から上方に突出したアンカーボルト５０に螺合させたナット５２又はアンカーボルト６０に螺合させたナット６２等を使用して固定用基板３０の下面を支持し固定用ガセットプレート４０の基礎９０（地中梁）からの高さを調整して、第１ブレース２０ａ及び第２ブレース２０ｂと固定用ガセットプレート４０とを適正な位置に調整しつつ取り付けても良い。
【００２４】
実施の形態２においては、柱ガセットプレート１１ａ、１１ｂに第１ブレース２０ａ及び第２ブレース２０ｂが取り付けられ、その後固定用ガセットプレート４０が取り付けられている。しかし、第１ブレース２０ａ及び第２ブレース２０ｂを固定用ガセットプレート４０に取り付けてから、第１ブレース２０ａの一方の端部及び第２ブレースの一方の端部を柱ガセットプレート１１ａ、１１ｂに取り付けても良い。
【００２５】
そして、図４（ｃ）に示された状態において、固定用基板３０と基礎９０（地中梁）との間に充填材８０が充填される。Ｖブレース支点構造９９が建築物１００に取り付けられた状態において、上部構造７０の重量は第１ブレース２０ａ、第２ブレース２０ｂ、及び固定用ガセットプレート４０に負荷されていない。よって、第１ブレース２０ａ及び第２ブレース２０ｂは上部構造７０の重量により圧縮されることなく設置される。つまり、図１に示される建築物１００において、第１ブレース２０ａ及び第２ブレース２０ｂは圧縮応力が発生していない状態で設置される。
【００２６】
（実施の形態２の効果）
（４）実施の形態２に係るＶブレース支点施工方法によれば、上部構造７０を設置する工程の後であって充填材８０を注入する工程の前に、第１柱１０ａ及び第２柱１０ｂの柱頭部に設けられた柱ガセットプレート１１ａ、１１ｂと固定用ガセットプレート４０との間に第１ブレース２０ａ及び第２ブレース２０ｂを固定する。
（５）実施の形態２に係るＶブレース支点施工方法によれば、柱ガセットプレート１１ａ、１１ｂに第１ブレース２０ａ及び第２ブレース２０ｂの一方の端部を固定する前に、第１ブレース２０ａ及び第２ブレース２０ｂの他方の端部を固定用ガセットプレート４０に固定する。
このように構成されることにより、建築物１００に設置されたＶブレース支点構造は、実施の形態１と同様な効果が得られる。また、上部構造７０の重量がかかり第１柱１０ａ及び第２柱１０ｂが縮んだ状態でＶブレース支点構造９９が取り付けられる。そのため、Ｖブレース支点構造９９が第１柱１０ａ及び第２柱１０ｂ取り付けられた状態で特に固定用ガセットプレート４０の高さ方向の位置を調整することなく、固定用ガセットプレート４０及び固定用基板３０を基礎９０（地中梁）上に固定し、充填材８０を注入することができる。
【００２７】
実施の形態３．
本発明の実施の形態３に係るＶブレース支点構造９９は、実施の形態１に係るＶブレース支点構造９９に対し施工方法を変更したものである。実施の形態３に係るＶブレース支点構造９９においては、実施の形態１に対する変更点を中心に説明する。
【００２８】
（実施の形態３に係るＶブレース支点施工方法）
図５は、図１のＶブレース支点構造９９の施工方法の説明図である。図５（ａ）に示されるように、基礎９０の上に第１柱１０ａと第２柱１０ｂとが立設され、基礎９０に固定される。また、固定用ガセットプレート４０も、固定用基板３０の下面を基礎９０（地中梁）の上面から所定の距離をおいて設置される。このとき、固定用基板３０は、基礎９０（地中梁）から上方に突出したアンカーボルト５０に螺合させたナット５２又はアンカーボルト６０に螺合させたナット６２により下面を支持されている。ナット５２又はナット６２は、上下に位置を調整できる。
【００２９】
その後、上部構造７０が設置される。図５（ｂ）及び図５（ｃ）に示されるように、上部構造７０が設置された後は、上部構造７０の荷重により第１柱１０ａ及び第２柱１０ｂが縮み、柱頭部にある柱ガセットプレート１１ａ、１１ｂは下方に変位する。すると、第１ブレース２０ａ及び第２ブレース２０ｂの取付部も下方に変位するため、第１ブレース２０ａの軸心２１ａ及び第２ブレース２０ｂの軸心２１ｂが配置されるべき位置も下方に変位する。そして、図５（ｂ）に示されるように軸心２１ａ及び軸心２１ｂの交点も下方に変位する。
【００３０】
図５（ｃ）に示されるように、固定用ガセットプレート４０は、高さ方向の位置が調整される。実施の形態３においては、基礎９０（地中梁）から上方に突出したアンカーボルト５０に螺合させたナット５２又はアンカーボルト６０に螺合させたナット６２等を使用して固定用基板３０の下面を支持し、ナット５２又はナット６２の上下方向の位置の調整により固定用ガセットプレート４０の基礎９０（地中梁）からの高さを調整する。このように構成されることにより、第１ブレース２０ａ及び第２ブレース２０ｂと固定用ガセットプレート４０とは適正な位置に調整される。
【００３１】
固定用ガセットプレート４０の高さ方向位置が調整された後で、第１ブレース２０ａ及び第２ブレース２０ｂを柱ガセットプレート１１ａ、１１ｂと固定用ガセットプレート４０との間に固定する。固定用ガセットプレート４０は、基礎９０（地中梁）の上面からの高さ位置が適正な位置に調整されているため、第１ブレース２０ａ及び第２ブレース２０ｂは適正な位置に取り付けることができる。
【００３２】
そして、図５（ｃ）に示された状態において、固定用基板３０と基礎９０（地中梁）との間に充填材８０が充填される。Ｖブレース支点構造９９が建築物１００に取り付けられた状態において、上部構造７０の重量は第１ブレース２０ａ、第２ブレース２０ｂ、及び固定用ガセットプレート４０に負荷されていない。よって、第１ブレース２０ａ及び第２ブレース２０ｂは上部構造７０の重量により圧縮されることなく設置される。つまり、図１に示される建築物１００において、第１ブレース２０ａ及び第２ブレース２０ｂは圧縮応力が発生していない状態で設置される。
【００３３】
（実施の形態３の効果）
（６）実施の形態３に係るＶブレース支点施工方法によれば、固定用ガセットプレート４０は、基礎９０（地中梁）から固定用基板３０の下面までの高さを調整自在にして設置され、上部構造７０を設置後であって充填材８０を注入前に、基礎９０（地中梁）から固定用基板３０の下面までの高さを調整する。
（７）実施の形態３に係るＶブレース支点施工方法によれば、基礎９０（地中梁）から固定用基板３０の下面までの高さを調整する工程の後であって充填材８０を注入する工程の前に、第１柱１０ａ及び第２柱１０ｂの柱頭部に設けられた柱ガセットプレート１１ａ、１１ｂと固定用ガセットプレート４０との間に第１ブレース２０ａ及び第２ブレース２０ｂを固定する。
このように構成されることにより、建築物１００に設置されたＶブレース支点構造は、実施の形態１と同様な効果が得られる。また、第１ブレース２０ａ及び第２ブレース２０ｂを固定用ガセットプレート４０に取り付ける前に、固定用ガセットプレート４０を基礎９０の上に仮置きすることができる。比較的大きい部材である固定用ガセットプレート４０を、単独で基礎９０（地中梁）上に高さ調整可能に設置するため、施工が容易である。また、第１ブレース２０ａ及び第２ブレース２０ｂの寸法の誤差等により、第１ブレース２０ａ及び第２ブレース２０ｂと固定用ガセットプレート４０との固定部の位置が合わないような場合であっても、固定用ガセットプレート４０の高さ方向位置を調整することができるという利点がある。
【産業上の利用可能性】
【００３４】
本発明に係るＶブレース支点施工方法及びＶブレース支点構造は、Ｖブレース支点を設置した際にブレースに圧縮方向荷重が作用しておらず、建築物に水平方向の力が作用した際にブレースの耐力を十分に発揮することができるため、Ｖブレース支点を建築物の耐震構造として広く利用することができる。
【符号の説明】
【００３５】
１０ａ  第１柱、１０ｂ  第２柱、１１ａ  （第１）柱ガセットプレート、１１ｂ  （第２）柱ガセットプレート、１２ａ  下端部、１２ｂ  下端部、２０ａ  第１ブレース、２０ｂ  第２ブレース、２１ａ  軸心、２１ｂ  軸心、２３  交点、３０  固定用基板、４０  固定用ガセットプレート、５０  アンカーボルト、５２  ナット、５９  定着用ナット、６０  アンカーボルト、６２  ナット、６９  定着用ナット、７０  上部構造、７１  梁、７２  床、７３ａ  上部構造柱、７３ｂ  上部構造柱、７４  梁、７５  屋根、８０  充填材、８１ａ  充填材、８１ｂ  充填材、９０  基礎、９９  Ｖブレース支点構造、１００  建築物。
【図１】
2018184766.tif 000003
【図２】
2018184766.tif 000004
【図３】
2018184766.tif 000005
【図４】
2018184766.tif 000006
【図５】
2018184766.tif 000007